(57)【特許請求の範囲】
【請求項１】
路面に接地する接地面を持つアウトソール２と、前記アウトソール２の上に配置されたミッドソール１とを備えた靴底において、前記ミッドソール１は：
樹脂の発泡体で形成された下層の下ミッドソール４と前記下ミッドソール４の上に配置された樹脂の発泡体で形成された上層の上ミッドソール３とを有し、
前記下ミッドソール４には足の外側を足の側方から支える外巻上部４２が一体に形成され、
前記外巻上部４２を含む前記下ミッドソール４の外側部４０の硬度が第１の硬度であり、
前記下ミッドソール４の内側部４１の硬度が前記第１の硬度よりも小さい第２の硬度であり、
前記上ミッドソール３の外側部３０の硬度が前記第１の硬度よりも小さい第３の硬度であり、
前記足の外側が前記上ミッドソール３に前記足の側方から支えられることなく前記外巻上部４２に前記足の側方から支えられるように、前記硬度の大きい外巻上部４２の一部又は全部が前記上ミッドソール３の外側において前記上ミッドソール３よりも上方に突出している。
【請求項２】
請求項１の靴底において、前記上ミッドソール３の外側部３０は前記足の前足外側の下面を支持し、
前記下ミッドソール４の前記硬度の大きい外巻上部４２は前足において第５趾の中足骨骨頭０５の外側を支えるように前記骨頭０５の外側面を覆う。
【請求項３】
請求項２の靴底において、前記下ミッドソール４の前記硬度の大きい前記外側部４０は前記第５趾の中足骨骨頭０５から骨底０５１の下面を覆い、
前記下ミッドソール４の前記硬度の小さい前記内側部４１は第１趾の中足骨骨頭０１から骨底０１１および基節骨Ｂ３１の下面を覆う。
【請求項４】
請求項３の靴底において、前記上ミッドソール３の外側部３０は前記第５趾の中足骨の部位において括れており、
前記括れた上ミッドソール３の部位において、前記下ミッドソール４の外巻上部４２が上方に向かって巻上がる。
【請求項５】
請求項３の靴底において、前記上ミッドソール３の内側部３１の硬度が前記第２および第３の硬度よりも小さい第４の硬度である。
【請求項６】
請求項５の靴底において、前記上ミッドソール３の前記外側部３０は前記第５趾の中足骨骨頭０５から骨底０５１の下面を覆い、
前記上ミッドソール３の前記内側部３１は前記第１趾の中足骨骨頭０１から骨底０１１および基節骨Ｂ３１の下面を覆う。
【請求項７】
請求項１〜６のいずれか１項において、前記外巻上部４２の更に外側において前記外巻上部４２の外側面に沿って配置されたスタビライザ５を更に備える。
【請求項８】
請求項１〜７のいずれか１項において、前記アウトソール２はゴムの発泡体または非発泡体で形成され、前記外巻上部４２の更に外側において上方に向かって巻き上げられている。
【請求項９】
着地時に接地する接地面を持つアウトソール２と、前記アウトソール２の上に配置されたミッドソール１とを備えた靴底において、前記ミッドソール１は：
足の前足を支持し樹脂の発泡体で形成された下層の下ミッドソール４と、前記前足において前記下ミッドソール４の上に配置され樹脂の発泡体で形成された上層の上ミッドソール３とを有し、
前記上ミッドソール３の前足の内側部３１の硬度が前記下ミッドソール４の前足の硬度よりも小さく、かつ、前記上ミッドソール３の前足の内側部３１の硬度が前記上ミッドソール３の前足の外側部３０の硬度よりも小さい。
【請求項１０】
請求項９の靴底において、前記上ミッドソール３の硬度の小さい低硬度領域は、第１趾の中足骨の骨体から第１趾の基節骨の骨頭に至る領域に設けられている。
【請求項１１】
請求項１０の靴底において、前記上ミッドソール３の内側部３１がＪＩＳＣ硬度で４０度〜５５度に設定され、前記上ミッドソール３の外側部３０がＪＩＳＣ硬度で、５０度〜６５度に設定されている。
【請求項１２】
請求項１１の靴底において、前記上ミッドソール３の内側部３１の硬度が前記上ミッドソール３又は前記下ミッドソール４の内外の中央部３４，４４の硬度よりも小さく、かつ、
前記上ミッドソール３又は下ミッドソール４の外側部３０，４０の硬度が前記上ミッドソール３又は下ミッドソール４の前記内外の中央部３４，４４の硬度よりも大きい。
【請求項１３】
着地時に接地する接地面を持つアウトソール２と、前記アウトソール２の上に配置され樹脂の発泡体で形成されたミッドソール１とを備えた靴底において、前記ミッドソール１は：
第５趾の中足骨の骨頭から骨底の下面を覆う外側部３０，４０と、
第１趾の中足骨の骨頭から骨底および第１基節骨の下面を覆う内側部３１，４１と、
前記外側部３０，４０と前記内側部３１，４１との間の中央部３４，４４とを備え、
前記外側部３０，４０が第１の硬度の層を有し、
前記中央部３４，４４が前記第１の硬度よりも小さい第２の硬度の層を有し、
前記内側部３１，４１が前記第２の硬度よりも小さい第３の硬度の層を有する。
【請求項１４】
請求項１３の靴底において、前記ミッドソール１は下ミッドソール４の層と前記下ミッドソール４の上に配置された上ミッドソール３の層とを有し、
前記第１の硬度の層が外側部３０，４０のうちの上ミッドソール３又は下ミッドソール４のいずれか一方に設けられ、
前記第３の硬度の層が内側部３１，４１のうちの上ミッドソール３又は下ミッドソール４のいずれか一方に設けられている。
【請求項１５】
請求項４の靴底において、前記上ミッドソール３の外側部３０は第５趾のＭＰ関節ＭＰ５の少なくとも一部を覆っておらず、かつ、前記下ミッドソール４の外側部４０は前記第５趾のＭＰ関節ＭＰ５の少なくとも一部を覆っている。
【請求項１６】
請求項７の靴底において、前記外巻上部４２は前記スタビライザ５よりも上方に突出している。
【請求項１７】
請求項８の靴底において、前記外巻上部４２は前記アウトソール２の巻き上げられた部分よりも上方に突出している。
【発明の詳細な説明】
【技術分野】
【０００１】
本発明は、例えばテニスやバスケットボールなどのコート競技に適した靴底の構造に関する。
【背景技術】
【０００２】
テニスやバスケットボールなどのコート競技においては、走行中に急に方向を変えたり、停止したりする動作や、横方向ないし斜横方向へのフットワークが生じ易い。かかるフットワーク時には、靴の中で足が内外にズレようとする横振れが生じ易い。安定したフットワークを実現するためには、かかる横振れを抑制する必要がある。
【先行技術文献】
【特許文献】
【０００３】
【特許文献１】ＪＰ２００７−１３５８２４  Ａ
【特許文献２】実開昭６０−６０９０５
【発明の概要】
【０００４】
前記特許文献１、２にはミッドソールの外側部分の硬度を大きくすることが開示されている。かかる構造はコート競技等において方向転換時に足の外側にかかる力を支え易い。
また、特許文献１では硬度の大きいミッドソールの外側部分が巻き上がっており、かかる巻上部は横振れを抑制するのに役立つ。
【０００５】
しかし、下方に硬いアウトソールの層があり、ソール単体を曲げたときの曲げの中立軸から離れた上層のミッドソールが硬いと屈曲時のソール全体の曲げ剛性が大きくなりすぎるかもしれない。その結果、ソールの屈曲性が低下し、運動機能が低下するおそれがあるかもしれない。
また、上層のミッドソールが硬いと、足裏に近い層が硬いため、着地の衝撃が足裏に生じやすい。
一方、前記巻上部の硬度を小さくすると、巻上部が倒れ易いだけでなく、巻上部が樹脂のスタビライザとの間で圧縮され易く、そのため、横振れが大きくなり易い。
【０００６】
したがって、本第１発明の目的は、靴底に関し、足裏に接近したミッドソールを介してソールの屈曲性の低下や衝撃緩衝性の低下を防止しつつ、横振れの抑制機能を高めることである。
【０００７】
男女は脚や足の骨格や筋力が異なり、テニス等での着地の際に膝のまわりのモーメント（回転力）に大きな差異がある。
膝のまわりのモーメントが大きいと、膝に加わる負荷が大きい。
【０００８】
したがって、本第２発明の目的は、女性用のテニスシューズ等において膝のまわりのモーメントを小さくすることである。
【０００９】
本第１発明は、ある局面において、路面に接地する接地面を持つアウトソール２と、前記アウトソール２の上に配置されたミッドソール１とを備えた靴底において、前記ミッドソール１は：
樹脂の発泡体で形成された下層の下ミッドソール４と前記下ミッドソール４の上に配置された樹脂の発泡体で形成された上層の上ミッドソール３とを有し、
前記下ミッドソール４には足の外側を足の側方から支える外巻上部４２が一体に形成され、
前記外巻上部４２を含む前記下ミッドソール４の外側部４０の硬度が第１の硬度であり、
前記下ミッドソール４の内側部４１の硬度が前記第１の硬度よりも小さい第２の硬度であり、
前記上ミッドソール３の外側部３０の硬度が第１の硬度よりも小さい第３の硬度であり、
前記足の外側が前記上ミッドソール３に足の側方から支えられることなく前記外巻上部４２に足の側方から支えられるように、前記硬度の大きい外巻上部４２の一部又は全部が前記上ミッドソール３の外側において前記上ミッドソール３よりも上方に突出している。
【００１０】
本第１発明によれば、下ミッドソール４の外側部４０および外巻上部４２の硬度が内側部４１や上ミッドソール３の外側部３０の硬度よりも大きく、したがって、外巻上部４２が硬い下ミッドソール４の外側部４０に支えられ、倒れにくいだろう。また、硬い外巻上部４２は圧縮変形しにくいだろう。したがって、外側の横振れを防止し易い。
【００１１】
一方、上ミッドソール３の外側部３０の硬度は前記外巻上部４２に比べ小さい。そのため、上ミッドソール３の外側部３０が足裏の凹凸に沿い易くソールの屈曲性が損なわれにくいかもしれない。また、衝撃緩衝性が損なわれにくいだろう。
すなわち、下方に硬いアウトソールの層があってもソール単体を曲げたときの曲げの中立軸から離れた上層のミッドソールが硬くなく、そのため、ソール全体の曲げ剛性が大きくなりすぎないかもしれない。その結果、ソールの屈曲性が低下しにくく、運動機能が低下するおそれがないかもしれない。
また、上層のミッドソールが硬くなく、そのため、足裏に近い層が柔らかく、着地の際の衝撃が足裏に生じにくいだろう。
【００１２】
ところで、ゴムのアウトソールや樹脂の非発泡体からなるスタビライザで、足の外側を側面から支えることもなされている。しかし、これらの部材はミッドソールの樹脂の発泡体に比べ硬く、かつ、重く、そのため、足の屈曲などの運動機能の低下を招き易い。これに対し、本靴底は樹脂の発泡体からなるミッドソールで巻上部が形成されており、適度な硬さと軽量性が実現され、したがって、足の屈曲や運動機能の低下などを招きにくい。
【図面の簡単な説明】
【００１３】
【図１】本発明の実施例１にかかるミッドソールを示す分解斜視図である。
【図２】上ミッドソールを下ミッドソールに載せた状態で示すミッドソールの斜視図である。
【図３】図３Ａは靴底の縦断面図、図３Ｂは靴底の外側面図である。
【図４】ミッドソールの平面図である。
【図５】ミッドソールと足の骨格との関係を示す平面図である。
【図６】図６Ａ、図６Ｂ、図６Ｃおよび図６Ｄは、それぞれ、図４のＶＩＡ−ＶＩＡ、ＶＩＢ−ＶＩＢ、ＶＩＣ−ＶＩＣおよびＶＩＤ−ＶＩＤ線における断面図である。
【図７】図７Ａ、図７Ｂ、図７Ｃおよび図７Ｄは、それぞれ、被検者の動作を示す概略正面図、図７Ｅおよび図７Ｆは試験結果を示す図表である。
【図８】図８Ａ、図８Ｂおよび図８Ｃは、それぞれ、ミッドソールの変形例を示す図４のＶＩＢ−ＶＩＢ線における断面図に相当する断面図である。
【発明を実施するための形態】
【００１４】
本第１発明において、好ましい例では、前記上ミッドソール３の外側部３０は前記足の前足外側の下面を支持し、
前記下ミッドソール４の前記硬度の大きい外巻上部４２は前足において第５趾中足骨骨頭０５の外側を支えるように前記骨頭０５の外側面を覆う。
【００１５】
第５趾の中足骨骨頭０５にはターンの際などに横振れの原因となる大きな力が生じるが、本実施例では硬度の大きい外巻上部４２が第５趾の中足骨骨頭０５の外側を支えている。そのため、第５趾の中足骨骨頭０５つまり小趾球の横振れが抑制されるだろう。
【００１６】
更に好ましくは、前記下ミッドソール４の前記硬度の大きい前記外側部４０は第５趾の中足骨骨頭０５から骨底０５１の下面を覆い、
前記下ミッドソール４の前記硬度の小さい前記内側部４１は第１趾の中足骨骨頭０１から骨底０１１および基節骨Ｂ３１の下面を覆う。
【００１７】
この場合、下ミッドソール４は内側部４１の硬度が外側部４０の硬度よりも小さく、そのため、ソールの屈曲性が損なわれにくいかもしれない。また、衝撃緩衝性が損なわれにくい。
【００１８】
なお、骨底とは各骨における後方の関節に近い部位で若干太く膨らんだ部位をいい、近位骨頭とも呼ばれている。一方、骨頭とは各骨における前方の関節に近い部位で若干太く膨らんだ部位をいい、遠位骨頭とも呼ばれている。また、骨体とは前記骨底と骨頭との間の部位をいい、一般に滑らかに太さが変化している。
【００１９】
更に好ましくは、前記上ミッドソール３の外側部３０は前記第５趾の中足骨の部位において括れており、
前記括れた上ミッドソール３の部位において、前記下ミッドソール４の外巻上部４２が上方に向かって巻上がる。
【００２０】
この場合、上ミッドソール３の外側部３０が第５趾の中足骨の部位において括れていることで、下ミッドソール４の外巻上部４２のボリュームが小さくなることなく、かつ、下ミッドソール４の外側部４０から外巻上部４２に至る部位のボリュームが小さくなることなく、下ミッドソール４から外巻上部４２が立ち上る。したがって、硬い外巻上部４２により第５趾の中足骨骨頭０５の横振れを抑制し得る。
【００２１】
別の好ましい実施例においては、前記上ミッドソール３の内側部３１の硬度が前記第２および第３の硬度よりも小さい第４の硬度である。
【００２２】
この場合、上ミッドソール３の内側部３１が柔らかいため、片足着地の際にミッドソールの上面が外側から内側に向って、斜め下方に傾くだろう。そのため、女性用テニスシューズ等においては、前記片足着地の際に、膝への負担となるモーメントが生じにくいだろう。
【００２３】
より好ましくは、前記上ミッドソール３の前記外側部３０は第５趾の中足骨骨頭０５から骨底０５１の下面を覆い、
前記上ミッドソール３の前記内側部３１は第１趾の中足骨骨頭０１から骨底０１１および基節骨Ｂ３１の下面を覆う。
【００２４】
この場合、前記膝への負担となるモーメントの発生を抑制し易いだろう。
【００２５】
好ましくは、たとえば、樹脂の非発泡体からなり、前記外巻上部４２の更に外側において前記外巻上部４２の外側面に沿って配置されたスタビライザ５を更に備える。
【００２６】
樹脂の非発泡体で形成されたスタビライザ５は、横振れの抑制機能を更に高める。
【００２７】
好ましくは、前記アウトソール２はゴムの発泡体または非発泡体で形成され、前記外巻上部４２の更に外側において上方に向かって巻き上げられている。
【００２８】
アウトソール２の巻上により、横振れの抑制機能は更に高まるだろう。
【００２９】
本第２発明の詳細な説明に先立って、本第２発明の発明者が行ったテストについて説明する。
【００３０】
同じ構造のシューズを用いて、図７Ａ〜図７Ｄに示すようにジャンプサーブの着地やボレーで見られる片足着地動作を男女の被検者が行い、その際に発生する膝を中心としたモーメントＭ（回転力）を測定した。その結果、男性に比べ女性はモーメントＭが大きいことが分かった。
【００３１】
膝を中心としたモーメントＭは図中実線で示した荷重中心から延びた地面反力ベクトルＦ１と一点鎖線で示した下肢ベクトルＦ２の外積によって算出される。図７Ｅおよび図７Ｆには男女のモーメントＭの大きさを棒グラフで示しており、女性の場合は男性の場合に比べモーメントＭが大きいことが分かる。
【００３２】
前足部の内側部に低硬度のミッドソールの層が挿入されていると、片足着地動作中に踏み込んだ際、低硬度のミッドソールが大きく圧縮されてソールが内足側に傾く。ソールが内足側に傾くと図７Ａおよび図７Ｃの地面反力ベクトルＦ１も同じように傾くが、下肢ベクトルＦ２は殆ど変化しない。そのため、地面反力ベクトルＦ１と下肢ベクトルＦ２と互いに同じ方向となり、それらの外積から算出される膝まわりのモーメントＭが小さくなる。
【００３３】
すなわち、本第２発明は、ある局面において、着地時に接地する接地面を持つアウトソール２と、前記アウトソール２の上に配置されたミッドソール１とを備えた靴底において、前記ミッドソール１は：
足の前足を支持し樹脂の発泡体で形成された下層の下ミッドソール４と、前記前足において前記下ミッドソール４の上に配置され樹脂の発泡体で形成された上層の上ミッドソール３とを有し、
前記上ミッドソール３の前足の内側部３１の硬度が前記下ミッドソール４の前足の硬度よりも小さく、かつ、前記上ミッドソール３の前足の内側部３１の硬度が前記上ミッドソール３の前足の外側部３０の硬度よりも小さい。
【００３４】
ここで、Ｏ脚を矯正する靴底として、弾性中間層の下方において内側の層に圧縮され易い層を設けた靴が知られている（ＪＰ２００５−２２４３３５Ａ）。しかし、この靴底は弾性中間層の下方に圧縮され易い層が介挿されており、足裏に生じる衝撃荷重がソールに加わった際に、ＥＶＡなどの樹脂の弾性体に存在する粘性により、前記圧縮され易い層の変形に遅れが生じ易い。
したがって、前記先行技術は静的な変形によるＯ脚の矯正には役立つかもしれないが、テニス等での片足着地のような衝撃荷重に対する効果は期待しにくいだろう。
【００３５】
これに対し、本第２発明は上ミッドソール３の前足の内側部３１の硬度が小さく、そのため、衝撃荷重で前記上ミッドソール３の内側部３１が瞬間的に圧縮され、これにより、図７Ａおよび図７Ｂの地面反力ベクトルＦ１の方向と下肢ベクトルＦ２の方向とが同じ方向に近づく。したがって、女性用テニスシューズに用いた場合、膝に生じるモーメントＭが小さいだろう。
【００３６】
一方、上下の二層構造にすることなく、ミッドソールの前足内側の硬度を小さくすると、前記前足内側の圧縮量が大きくなりすぎ、そのため、地面反力ベクトルＦ１の方向と下肢ベクトルＦ２の方向に差異が生じ易い。
【００３７】
好ましくは、前記上ミッドソール３の硬度の小さい低硬度領域は、第１中足骨の骨体から第１基節骨の骨頭に至る領域に設けられている。
【００３８】
かかる低硬度領域の範囲にすることで、内側前足部における足の傾斜が生じ易い。
【００３９】
好ましくは、前記上ミッドソール３の内側部３１がＪＩＳＣ硬度で４０度〜５５度に設定され、前記上ミッドソール３の外側部３０がＪＩＳＣ硬度で、５０度〜６５度に設定されている。
【００４０】
なお、上ミッドソール３の内側部３１と上ミッドソール３の外側部３０との硬度差は、ＪＩＳＣ硬度で５°〜１５°程度が好ましい。
このように、両者に硬度差があることで、足の傾斜角が適切な値になるであろう。
【００４１】
かかる硬度設定よりも硬度が小さいと、一般にソール全体が沈み易く、一方、前記硬度設定よりも硬度が大きいと、一般にソールに必要な柔軟性が得にくい。
【００４２】
好ましくは、前記上ミッドソール３の内側部３１の硬度が上ミッドソール３又は下ミッドソール４の内外の中央部３４，４４の硬度よりも小さく、かつ、
前記上ミッドソール３又は下ミッドソール４の外側部３０，４０の硬度が前記上ミッドソール３又は下ミッドソール４の前記内外の中央部３４，４４の硬度よりも大きい。
【００４３】
このように中央部３４，４４が内外の中間の硬度を持つ場合、ミッドソールのスムースな傾斜が得易いだろう。
【００４４】
したがって、本第２発明は別の局面において、着地時に接地する接地面を持つアウトソール２と、前記アウトソール２の上に配置され樹脂の発泡体で形成されたミッドソール１とを備えた靴底において、前記ミッドソール１は：
第５趾の中足骨の骨頭から骨底の下面を覆う外側部３０，４０と、
第１趾の中足骨の骨頭から骨底および第１基節骨の下面を覆う内側部３１，４１と、
前記外側部３０，４０と前記内側部３１，４１との間の中央部３４，４４とを備え、
前記外側部３０，４０が第１の硬度の層を有し、
前記中央部３４，４４が前記第１の硬度よりも小さい第２の硬度の層を有し、
前記内側部３１，４１が前記第２の硬度よりも小さい第３の硬度の層を有する。
【００４５】
本第２発明において、前記ミッドソール１は下ミッドソール４の層と前記下ミッドソール４の上に配置された上ミッドソール３の層とを有し、
前記第１の硬度の層が外側部３０，４０のうちの上ミッドソール３又は下ミッドソール４のいずれか一方に設けられ、
前記第３の硬度の層が内側部３１，４１のうちの上ミッドソール３又は下ミッドソール４のいずれか一方に設けられていてもよい。
【実施例】
【００４６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４７】
以下、本発明の一実施例を図１〜図６Ｄにしたがって説明する。
図１〜図３Ａに示すように、靴底は例えば女性用テニスシューズに適したもので、路面に接地する接地面を持つアウトソール２と、前記アウトソール２の上に配置されたミッドソール１とを備える。【００４８】
ミッドソール１は、たとえば、ＥＶＡ（エチレン−酢酸ビニル共重合体）などの樹脂の発泡体などの衝撃吸収に適した素材で形成される。一方、アウトソール２は、たとえば、ゴムの発泡体や非発泡体などの耐摩耗性に優れた素材で形成される。【００４９】
図１に示すように、ミッドソール１は、下層の下ミッドソール４と前記下ミッドソール４の上に配置され足の前足を支持する上層の上ミッドソール３とを有する。前記下ミッドソール４には足の外側を足の側方から支える外巻上部４２が一体に形成されている。前記下ミッドソール４は足の全長にわたって設けられ、一方、前記上ミッドソール３は足の前半分の領域に設けられている。【００５０】
前記外巻上部４２を含む前記下ミッドソール４の外側部４０の硬度は第１の硬度である。前記下ミッドソール４の内側部４１の硬度は前記第１の硬度よりも小さい第２の硬度である。前記上ミッドソール３の外側部３０の硬度は第１の硬度よりも小さい第３の硬度である。また、前記上ミッドソール３の内側部３１の硬度は前記第２および第３の硬度よりも小さい第４の硬度である。【００５１】
より具体的には、上ミッドソール３の外側部３０と下ミッドソール４の内側部４１は、中程度の硬度に設定され、例えばＪＩＳＣ硬度で、５０度〜６５度程度に設定され、より好ましくは５４度〜６２度程度に設定される。なお、上ミッドソール３の外側部３０の硬度と下ミッドソール４の内側部４１の硬度は同程度でもよいし、若干異なっていてもよい。【００５２】
一方、下ミッドソール４の外側部４０は高硬度に設定され、図１および図４において濃い（粗い）網点が施されており、例えば、ＪＩＳＣ硬度で、５５度〜７５度程度に設定され、より好ましくは６１度〜６９度程度に設定される。【００５３】
前記上ミッドソール３の内側部３１は低硬度に設定され、図１および図４において細かい網点が施されており、例えば、ＪＩＳＣ硬度で、４０度〜５５度程度に設定され、より好ましくは４４度〜５２度程度に設定される。【００５４】
なお、図４において、前記下ミッドソール４の前記高硬度に設定された領域のうち、前記上ミッドソール３が配置される箇所については前記濃い網点と前記細かい網点との中間程度の密度の網点が施されている。【００５５】
図１および図２に示すように、前記足の外側が前記上ミッドソール３に足の側方から支えられることなく前記外巻上部４２に足の側方から支えられるように、前記硬度の大きい外巻上部４２の一部又は全部が前記上ミッドソール３の外側において前記上ミッドソール３よりも上方に突出している。【００５６】
図３Ｂに示すように、靴底を外側面から見ると、前記外巻上部４２が前記上ミッドソール３よりも上方に突出しており、前記上ミッドソール３の外側部３０の一部が前記外巻上部４２により隠れて外側面からは見えない部分がある。すなわち、外側面から見て、前記上ミッドソール３の外側部３０，３０の間に足の側方を支える前記下ミッドソール４の外巻上部４２が位置しており、換言すれば、前記外巻上部４２の前後において前記上ミッドソール３の外側部３０，３０が露出している。
なお、前記上ミッドソール３の外側部３０は小さく上方に巻き上がっていてもよい。【００５７】
本実施例の場合、図５の前記上ミッドソール３の外側部３０は前記第５趾の中足骨骨頭０５の部位においてえぐれて括（くび）れている。すなわち、当該部位において、下ミッドソール４の外側部４０の外縁のラインは外側に向って凸となるように湾曲しており、一方、上ミッドソール３の外側部３０の外縁のラインは内側に向って凸となるように湾曲している。
具体的には、前記上ミッドソール３の外側部３０は第５趾のＭＰ関節ＭＰ５の少なくとも一部を覆っておらず、一方、前記下ミッドソール４の外側部４０は前記第５趾のＭＰ関節ＭＰ５の少なくとも一部を覆っている。【００５８】
図１および図２に示すように、前記括れた上ミッドソール３の部位において、前記下ミッドソール４の外巻上部４２が上方に向かって巻上がる。このように上ミッドソール３の外側部３０が括れていることで、図６Ｂに示すように、下ミッドソール４の外巻上部４２の基部４３が厚肉となり、外巻上部４２による横振れ防止効果が高まる。【００５９】
具体的には、前記上ミッドソール３の外側部３０が括れていることで前記外側部３０が前記基部４３まで延びておらず、上方からの荷重を支えることのできる前記基部４３の厚さが前記下ミッドソール４の外側部４０の他の部位よりも厚くなっており、足が外側に横振れする力により前記外巻上部４２が倒れにくくなる。【００６０】
前記上ミッドソール３よりも上方に突出する前記外巻上部４２は前後方向Ｙにおける前端４２ｆおよび後端４２ｂを有する。前記前端４２ｆは第５趾のＭＰ関節ＭＰ５よりも前方に位置すると共に第５末節骨Ｂ１５の先端よりも後方に位置しており、一方、前記後端４２ｂは第５趾のＭＰ関節ＭＰ５よりも後方に位置すると共に、第５趾の中足骨Ｂ４５の骨底０５１よりも前方に位置している。【００６１】
前記上ミッドソール３の外側部３０は前記足の前足外側の下面を支持する。図５および図６Ｂに示すように、前記下ミッドソール４の前記硬度の大きい外巻上部４２は前足において第５趾の中足骨骨頭０５の外側を支えるように前記骨頭の外側面を覆う。【００６２】
また、第５趾の基節骨Ｂ３５の少なくとも一部および第５趾の中足骨Ｂ４５の少なくとも一部は前記下ミッドソール４の外側部４０により下方から覆われていてもよい。【００６３】
具体的には、図５に示すように、上ミッドソール３の外側部３０は中足骨骨頭０５および／または第５趾のＭＰ関節ＭＰ５の少なくとも一部を覆っておらず、一方、これらの部位は前記下ミッドソール４の外側部４０により下方から覆われている。【００６４】
前記上ミッドソール３の外側部３０は少なくとも第５趾の末節骨Ｂ１５の一部および第５趾の中足骨Ｂ４５の一部を覆っている。すなわち、第５趾のＭＰ関節ＭＰ５または第５趾の中足骨骨頭０５の近傍において下ミッドソール４の外側部４０が露出しており、かつ、少なくとも第５趾の末節骨Ｂ１５および第５趾の中足骨Ｂ４５の一部は上ミッドソール３の外側部３０および下ミッドソール４の外側部４０により下方から覆われている。【００６５】
図５に示すように、前記高硬度の下ミッドソール４の外側部４０は、第４および第５基節骨Ｂ３４，Ｂ３５よりも後方の部位を覆い、ミッドソール１の外側に沿ってミッドソール１の後端まで設けられていてもよい。この高硬度領域は、前足部において中央部に向かって膨らむように配置されていてもよい。
すなわち、前記高硬度領域を定義する外側ラインＬｌは、前足部において、内側に向って凸となるように湾曲しており、かつ、第５趾のＭＰ関節ＭＰ５よりも内側において延びている。【００６６】
一方、前記低硬度の上ミッドソール３の内側部３１は、第１および２中足骨Ｂ４１，Ｂ４２、第１および２基節骨Ｂ３１，Ｂ３２、第１末節骨Ｂ１１および内側喫状骨を覆う範囲に配置され、第２中節骨Ｂ２２を覆っていてもよい。この低硬度領域は前足部において中央部に向かって膨らむように配置されていてもよい。
すなわち、前記低硬度領域を定義する内側ラインＬｍは、前足部において、外側に向って凸となるように湾曲しており、かつ、第１趾の中足骨の骨頭０１よりも外側において延びている。
なお、前記外側ラインＬｌと前記内側ラインＬｍとは第３趾のＭＰ関節ＭＰ３近傍において互いに最も接近してもよい。【００６７】
図５において、前記下ミッドソール４の前記硬度の大きい前記外側部４０は第５趾の中足骨骨頭０５から骨底０５１の下面を覆う。前記下ミッドソール４の前記中程度の硬度に設定された前記内側部４１は第１趾の中足骨骨頭０１から骨底０１１および基節骨Ｂ３１の下面を覆う。【００６８】
図５において、前記上ミッドソール３の前記中程度の硬度に設定された前記外側部３０は第５趾の中足骨骨頭０５から骨底０５１の下面を覆う。前記上ミッドソール３の前記低硬度に設定された前記内側部３１は第１趾の中足骨骨頭０１から骨底０１１および基節骨Ｂ３１の下面を覆い、この低硬度領域は、少なくとも第１中足骨Ｂ４１の骨体から第１基節骨Ｂ３１の骨頭に至る領域に設けられているのが好ましい。【００６９】
このように領域が設定されていることで、前記上ミッドソール３の内側部３１の硬度は上ミッドソール３又は下ミッドソール４の内外の中央部３４，４４の硬度よりも小さく、かつ、前記上ミッドソール３又は下ミッドソール４の外側部３０，４０の硬度が前記上ミッドソール３又は下ミッドソール４の前記内外の中央部３４，４４の硬度よりも大きい。【００７０】
すなわち、図４に示すように、前足部において、前記外側部３０，４０が第１の硬度の層を有し、前記中央部３４，４４が前記第１の硬度よりも小さい第２の硬度の層を有し、前記内側部３１，４１が前記第２の硬度よりも小さい第３の硬度の層を有する。【００７１】
具体的には、たとえば、図４に示すように、前足部における前ラインＬｆと後ラインＬｂとの間の領域において、外側ラインＬｌよりも外側の粗い網掛け部分は高硬度の下ミッドソール４と中程度の硬度の上ミッドソール３とからなる第１の硬度の層であり、一方、内側ラインＬｍよりも内側の細かい網掛け部分は中程度の硬度の下ミッドソール４と低硬度の上ミッドソール３とからなる第３の硬度の層である。前記第１の層と前記第３の層との間の網かけが施されていない部分は中程度の硬度の下ミッドソール４と中程度の硬度の上ミッドソール３とからなる第２の硬度の層である。【００７２】
図４および図５に示すように、前記内側ラインＬｍおよび外側ラインＬｌは、それぞれ、幅方向Ｘにおいて中央に向って膨らんでおり、第３趾のＭＰ関節ＭＰ３の近傍において互いに最も接近する。すなわち、前足部において、前記第２の硬度の層は砂時計のように中央部において幅が小さく、かつ、前記中央部よりも前方の部位の幅および前記中央部よりも後方の部位の幅は、それぞれ、前記中央部の幅より大きくなっている。【００７３】
なお、前記第１の硬度の層が外側部３０，４０のうちの上ミッドソール３又は下ミッドソール４のいずれか一方に設けられ、かつ、前記第３の硬度の層が内側部３１，４１のうちの上ミッドソール３又は下ミッドソール４のいずれか一方に設けられていてもよい。【００７４】
図１において、前記上ミッドソール３の内側部３１には貫通孔３３が形成されている。この貫通孔３３は図５に示すように母趾球０１の位置に設けられている。図６Ｂに示すように、この貫通孔３３には発泡樹脂の低反発のパーツ３５が装填される。この低反発のパーツ３５の硬度は前記上ミッドソール３の内側部３１の硬度よりも更に小さくＪＩＳＣ硬度で２２度〜２８度程度に設定される。【００７５】
図６Ｂに示すように、前記貫通孔３３を設けた部位において前記下ミッドソール４は若干隆起していてもよく、したがって前記低反発のパーツ３５の厚さは上ミッドソール３の厚さよりも小さくてもよい。これにより、低反発のパーツ３５の部位において足裏が沈みすぎるのを抑制している。
なお、かかる貫通孔３３および低反発のパーツ３５は必ずしも設ける必要がない。【００７６】
図３Ｂ、図６Ｂおよび図６Ｄに示すように、横振れ防止のためのスタビライザ５が設けられていてもよい。このスタビライザ５は樹脂の非発泡体等からなり、前記外巻上部４２の更に外側において前記外巻上部４２の外側面に沿って配置される。このスタビライザ５の高さは前記外巻上部４２の高さよりも小さい。【００７７】
図３Ｂおよび図６Ｂに示すように、前記外巻上部４２の部位において、前記スタビライザ５の更に外側にはアウトソール２の巻上部２２が形成されている。この巻上部２２は外巻上部４２の更に外側において上方に向かって巻き上げられ、小趾球０５の横振れの抑制に役立つ。この巻上部２２の高さは前記外巻上部４２の高さよりも小さい。【００７８】
すなわち、図３Ｂに示すように、本発明の靴底を外側面から見ると、前記下ミッドソール４の外巻上部４２の部位において、前記スタビライザ５は前記アウトソール２の巻上部２２よりも上方のレベルに位置し、かつ、前記下ミッドソール４の外巻上部４２は前記スタビライザ５よりも上方のレベルに位置している。【００７９】
本靴底は樹脂の発泡体からなる下ミッドソール４で外巻上部４２が形成されており、かつ、前記外巻上部４２の部位においてゴムのアウトソールや樹脂の非発泡体等からなるスタビライザの高さ（レベル）が前記外巻上部４２よりも低い位置に設定されており、したがって、靴底の適度な硬さと軽量性が発揮されると共に、ＭＰ関節における足の屈曲性の低下や運動機能の低下などを招きにくい。【００８０】
前記ミッドソール１の前記上ミッドソール３と前記下ミッドソール４とは互いに別に一次成形され、その後に接着ないし二次成形されてもよい。あるいは、図６Ｂの中硬度領域４１，３０のみを、まず一次成形し、この一次成形した中硬度領域の部分を型内にインサートして低硬度および高硬度領域を成形してもよい。【００８１】
図３Ａおよび図５に示すように、前ラインＬｆおよび後ラインＬｂは前記下ミッドソール４のうち前記上ミッドソール３が配置される領域を定義していてもよく、前記前ラインＬｆおよび後ラインＬｂにおいて下ミッドソール４は段差があり、前記領域において下方に窪んでいてもよい。すなわち、前記下ミッドソール４は断面凹状に形成されていてもよい。【００８２】
具体的には、図３Ａに示すように、前記後ラインＬｂの近傍において前記後ラインＬｂの後方の部位は前記後ラインＬｂの前方の部位よりも急激に厚肉となっていてもよい。一方、前記前ラインＬｆの近傍において前記前ラインＬｆの前方の部位は前記前ラインＬｆの後方の部位よりも急激に厚肉となっていてもよい。
前記下ミッドソール４の凹部に前記上ミッドソール３が嵌められる。すなわち、前記上ミッドソール３は前記下ミッドソール４の前端４ｅまで延びておらず、前記下ミッドソール４の前端４ｅは前記上ミッドソール３の前端３ｅよりも前方に位置している。【００８３】
図８Ａ〜図８Ｃは前記実施例のミッドソールの変形例を示す。
図８Ａに示すように、下ミッドソール４は外側部４０のみが設けられ、靴の外側ＯＵＴにおいて下ミッドソール４と上ミッドソール３の２層でミッドソールが形成されていてもよい。靴の内側ＩＮにおいては前記２層と同じ厚さで１層の上ミッドソール３でミッドソールが形成されていてもよい。
女性用テニスシューズ以外の場合、たとえば、男性用テニスシューズやその他のコート競技の場合、図８Ｂに示すように、内外において硬度差が設けられていない上ミッドソール３が前記下ミッドソール４の上に配置されていてもよい。
図８Ｃに示すように、靴の外側ＯＵＴにおいて高硬度の層（前記第１の硬度の層）、中央部において中程度の硬度の層（前記第２の硬度の層）および内側ＩＮにおいて低硬度の層（前記第３の硬度の層）が設けられていてもよい。【００８４】
以上のとおり、図面を参照しながら好適な実施例を説明したが、当業者であれば、本明細書を見て、自明な範囲内で種々の変更および修正を容易に想定するであろう。【００８５】
たとえば、上ミッドソール３の外側部３０の硬度と下ミッドソール４の内側部４１の硬度とは互いに同程度の硬度であってもよいし、互いに異なる硬度であってもよい。
また、男性用テニスシューズにおいては、上ミッドソール３の内側部３１は外側部３０や下ミッドソール４の内側部４１と同程度の硬度に設定されてもよい。すなわち、たとえば、上ミッドソール３の内外の硬度が一定（同程度）に設定されていてもよい。
また、女性用テニスシューズにおいては、下ミッドソール４の外側部４０は下ミッドソール４の内側部４１や上ミッドソール３の外側部３０と同程度の硬度に設定されてもよい。【００８６】
したがって、そのような変更および修正は、本発明の範囲のものと解釈される。
【産業上の利用可能性】
【００８７】
本発明はテニスやバスケットボールなどのコート競技用の靴底に適用できる。
【符号の説明】
【００８８】
１：ミッドソール  
２：アウトソール  ２２：巻上部
３：上ミッドソール  ３０：外側部  ３１：内側部  ３２：巻上部  ３３：貫通孔  ３４：中央部  ３５：パーツ  ３ｅ：前端
４：下ミッドソール  ４０：外側部  ４１：内側部  ４２：外巻上部  ４３：基部  ４４：中央部  ４ｅ：前端
５：スタビライザ
ＣＬ：中心軸
Ｆ１：地面反力ベクトル  Ｆ２：下肢ベクトル
Ｌｆ：前ライン  Ｌｂ：後ライン  Ｌｌ：外側ライン  Ｌｍ：内側ライン
Ｍ：モーメント
ＩＮ：内側  ＯＵＴ：外側
Ｙ：前後方向  Ｘ：幅方向
【要約】
アウトソール２と、ミッドソール１とを備えた靴底において、前記ミッドソール１は：樹脂の発泡体で形成された下層の下ミッドソール４と前記下ミッドソール４の上に配置された樹脂の発泡体で形成された上層の上ミッドソール３とを有し、前記下ミッドソール４には足の外側を足の側方から支える外巻上部４２が一体に形成され、前記外巻上部４２を含む前記下ミッドソール４の外側部４０の硬度が第１の硬度であり、前記下ミッドソール４の内側部４１の硬度が前記第１の硬度よりも小さい第２の硬度であり、前記上ミッドソール３の外側部３０の硬度が前記第１の硬度よりも小さい第３の硬度であり、前記足の外側が前記上ミッドソール３に前記足の側方から支えられることなく前記外巻上部４２に前記足の側方から支えられるように、前記硬度の大きい外巻上部４２の一部又は全部が前記上ミッドソール３の外側において前記上ミッドソール３よりも上方に突出している。【図１】
0005465814.tif 000002
【図２】
0005465814.tif 000003
【図３】
0005465814.tif 000004
【図４】
0005465814.tif 000005
【図５】
0005465814.tif 000006
【図６】
0005465814.tif 000007
【図７】
0005465814.tif 000008
【図８】
0005465814.tif 000009